(57)【要約】【課題】乾燥処理部と造粒処理部と分級処理部と炭化処理部と熱分解ガス焼却部とを備えたバイオマス炭化物製造システムにおいて、省エネルギ性を向上しながら、高品質なバイオマス炭化物を製造可能な技術を提供する。【解決手段】熱風発生部１ａ，４ａ又は熱分解ガス焼却部５において燃料を燃焼させるバーナＢとして、固形バイオマス燃料を燃焼させるバイオマスバーナ１０を備え、分級処理部３から排出された乾燥バイオマス造粒残渣Ｘ２ｂが、固形バイオマス燃料としてバイオマスバーナ１０に供給される。【選択図】図１
2019178189.tif 000002
【特許請求の範囲】
【請求項１】
含水バイオマスを乾燥させて乾燥バイオマスを生成する乾燥処理部と、
前記乾燥処理部で生成された乾燥バイオマスを炭化させてバイオマス炭化物を生成する炭化処理部と、
前記炭化処理部で発生した熱分解ガスを焼却する熱分解ガス焼却部と、
前記乾燥処理部から前記炭化処理部へ供給される乾燥バイオマスを造粒させる造粒処理部と、
前記造粒処理部から前記炭化処理部へ供給される乾燥バイオマスを乾燥バイオマス造粒物とそれよりも小さい乾燥バイオマス造粒残渣とに分級する分級処理部と、を備えたバイオマス炭化物製造システムであって、
熱風を発生させる熱風発生部又は前記熱分解ガス焼却部において燃料を燃焼させるバーナとして、固形バイオマス燃料を燃焼させるバイオマスバーナを備え、
前記分級処理部から排出された乾燥バイオマス造粒残渣が、前記固形バイオマス燃料として前記バイオマスバーナに供給されるバイオマス炭化物製造システム。
【請求項２】
前記乾燥バイオマスの一部を取り出して、当該取り出した乾燥バイオマスを前記固形バイオマス燃料として前記バイオマスバーナに補充する乾燥バイオマス取出部を備えた請求項１に記載のバイオマス炭化物製造システム。
【請求項３】
前記乾燥バイオマス取出部が、前記造粒処理部に供給される前の乾燥バイオマスの一部を取り出すように設けられている請求項２に記載のバイオマス炭化物製造システム。
【請求項４】
前記造粒処理部の運転状態を制御して、当該造粒処理部から前記バイオマスバーナへの前記乾燥バイオマス造粒残渣の供給量を調整可能な造粒状態調整部と、
前記バイオマスバーナの燃焼状態に基づいて前記造粒状態調整部の作動を制御して、前記バイオマスバーナの燃焼量を制御する燃焼制御部と、を備えた請求項１〜３の何れか１項に記載のバイオマス炭化物製造システム。
【発明の詳細な説明】
【技術分野】
【０００１】
本発明は、含水バイオマスを乾燥させて乾燥バイオマスを生成する乾燥処理部と、前記乾燥処理部で生成された乾燥バイオマスを炭化させてバイオマス炭化物を生成する炭化処理部と、前記炭化処理部で発生した熱分解ガスを焼却する熱分解ガス焼却部と、を備えたバイオマス炭化物製造システムに関する。
【背景技術】
【０００２】
従来、脱水汚泥等の含水バイオマスを乾燥させた後に炭化させてバイオマス炭化物を製造するバイオマス炭化物製造システムが知られている（例えば特許文献１及び２を参照。）。このようなバイオマス炭化物製造システムは、バイオマス廃棄物の焼却処理を省略できる上に、製造したバイオマス炭化物を火力発電所の代替燃料等として利用できることから、温室効果ガスの排出を削減することができるシステムとして注目されている。
【０００３】
上記特許文献１のバイオマス炭化物製造システムには、乾燥処理部から炭化処理部へ供給される乾燥バイオマスを造粒させる造粒処理部（造粒部５）と、造粒処理部から炭化処理部へ供給される乾燥バイオマスを、造粒された乾燥バイオマス造粒物とそれよりも小さい乾燥バイオマス造粒残渣とに分級する分級処理部（振動篩機４３）とが設けられている。そして、分級処理部（振動篩機４３）で捕捉されなかった所定サイズ以下の乾燥バイオマス造粒残渣は、造粒処理部（造粒部５）に戻されて再度造粒される。また、このように乾燥バイオマス造粒残渣を造粒処理部に戻して再度造粒処理に供した場合であっても、造粒処理部では常に一定割合で乾燥バイオマス造粒残渣が発生することになる。
【０００４】
上記特許文献２のバイオマス炭化物製造システムには、含水バイオマスや乾燥バイオマスの一部を取り出して燃焼させ、乾燥処理部及び炭化処理部において熱源として利用される熱風を発生させる熱風発生部（汚泥焼却炉７０）が設けられている。
【先行技術文献】
【特許文献】
【０００５】
【特許文献１】特開２００４−０５０１２０号公報
【特許文献２】特開２００５−３１９３７４号公報
【発明の概要】
【発明が解決しようとする課題】
【０００６】
上記特許文献１に記載のバイオマス炭化物製造システムでは、造粒処理部にて造粒されて均質となったペレット状又は粒状の乾燥バイオマス造粒物を炭化処理部に供給することができるので高品質なバイオマス炭化物を製造できるものの、造粒処理部の運転負荷が嵩んで省エネルギ性が悪化するという問題がある。
一方、上記特許文献２に記載のバイオマス炭化物製造システムでは、含水バイオマスや乾燥バイオマスの一部を取り出して熱風発生部で燃焼させるが、この含水バイオマスや乾燥バイオマスは比較的大きな塊状で存在している。よって、その一部を取り出して熱風発生部に供給して効率良く燃焼させるためには、それら塊状のバイオマスを十分に粉砕してから熱風発生部に供給する必要があり、そのためには比較的大掛かりな設備やエネルギが必要となる。
【０００７】
この実情に鑑み、本発明の主たる課題は、乾燥処理部と炭化処理部と熱分解ガス焼却部とを備えたバイオマス炭化物製造システムにおいて、省エネルギ性を向上しながら、高品質なバイオマス炭化物を製造可能な技術を提供する点にある。
【課題を解決するための手段】
【０００８】
本発明の第１特徴構成は、含水バイオマスを乾燥させて乾燥バイオマスを生成する乾燥処理部と、
前記乾燥処理部で生成された乾燥バイオマスを炭化させてバイオマス炭化物を生成する炭化処理部と、
前記炭化処理部で発生した熱分解ガスを焼却する熱分解ガス焼却部と、
前記乾燥処理部から前記炭化処理部へ供給される乾燥バイオマスを造粒させる造粒処理部と、
前記造粒処理部から前記炭化処理部へ供給される乾燥バイオマスを乾燥バイオマス造粒物とそれよりも小さい乾燥バイオマス造粒残渣とに分級する分級処理部と、を備えたバイオマス炭化物製造システムであって、
熱風を発生させる熱風発生部又は前記熱分解ガス焼却部において燃料を燃焼させるバーナとして、固形バイオマス燃料を燃焼させるバイオマスバーナを備え、
前記分級処理部から排出された乾燥バイオマス造粒残渣が、前記固形バイオマス燃料として前記バイオマスバーナに供給される点にある。
【０００９】
本構成によれば、造粒処理部で造粒されて分級処理部で捕捉されたペレット状又は粒状の乾燥バイオマス造粒物が炭化処理部に供給されて炭化されるので、高品質のバイオマス炭化物を製造することができる。
更には、例えば乾燥処理部や炭化処理部に供給される熱風を発生させる熱風発生部又は熱分解ガス焼却部において固形バイオマス燃料を燃焼させるバイオマスバーナに対して、分級処理部で捕捉されず排出された所定サイズ以下の乾燥バイオマス造粒残渣を、粉砕することなくそのままの状態で固形バイオマス燃料として供給することができる。そして、このバイオマスバーナにおいて、所定サイズ以下で略粉状である乾燥バイオマス造粒残渣を効率良く燃焼させて、熱風発生部にて熱風を発生させるための熱源又は熱分解ガス焼却部にて熱分解ガスを焼却させるための熱源を確保することができ、例えば不足した熱量を補うための化石燃料の助燃を省略又は簡素化することができる。
従って、本発明により、乾燥処理部と炭化処理部と熱分解ガス焼却部とを備えたバイオマス炭化物製造システムにおいて、省エネルギ性を向上しながら、高品質なバイオマス炭化物を製造可能な技術を提供することができる。
【００１０】
本発明の第２特徴構成は、前記乾燥バイオマスの一部を取り出して、当該取り出した乾燥バイオマスを前記固形バイオマス燃料として前記バイオマスバーナに補充する乾燥バイオマス取出部を備えた点にある。
【００１１】
本構成によれば、分級処理部から排出される乾燥バイオマス造粒残渣が、バイオマスバーナにて必要な固形バイオマス燃料の量に満たない場合には、乾燥処理部で乾燥された乾燥バイオマスの一部を取り出して、固形バイオマス燃料としてバイオマスバーナに補充することができる。従って、バイオマスバーナにおける固形バイオマス燃料の不足に伴う熱量不足を補うための化石燃料の助燃を一層削減して、省エネルギ性の更なる向上を図ることができる。
【００１２】
本発明の第３特徴構成は、前記乾燥バイオマス取出部が、前記造粒処理部に供給される前の乾燥バイオマスの一部を取り出すように設けられている点にある。
【００１３】
本構成によれば、造粒処理部に供給される前の乾燥バイオマスを取り出して固形バイオマス燃料としてバイオマスバーナに補充するので、その取り出した乾燥バイオマスの分、造粒処理部の運転負荷を軽減することができる。
【００１４】
本発明の第４特徴構成は、前記造粒処理部の運転状態を制御して、当該造粒処理部から前記バイオマスバーナへの前記乾燥バイオマス造粒残渣の供給量を調整可能な造粒状態調整部と、
前記バイオマスバーナの燃焼状態に基づいて前記造粒状態調整部の作動を制御して、前記バイオマスバーナの燃焼量を制御する燃焼制御部と、を備えた点にある。
【００１５】
本構成によれば、造粒状態調整部を備えることで、造粒処理部において生成される造粒乾燥バイオマスに含まれる乾燥バイオマス造粒物と乾燥バイオマス造粒残渣との生成割合に影響を与える運転状態を制御する形態で、造粒処理部からバイオマスバーナへの乾燥バイオマス造粒残渣の供給量を調整することができる。よって、燃焼制御部においては、その造粒状態調整部の作動を制御して、分級処理部からバイオマスバーナへの乾燥バイオマス造粒残渣の供給量を調整する形態で、バイオマスバーナの燃焼量を適切なものに調整することができる。
【図面の簡単な説明】
【００１６】
【図１】第１実施形態のバイオマス炭化物製造システムの概略構成図
【図２】第２実施形態のバイオマス炭化物製造システムの概略構成図
【図３】第３実施形態のバイオマス炭化物製造システムの概略構成図
【図４】第４実施形態のバイオマス炭化物製造システムの概略構成図
【発明を実施するための形態】
【００１７】
本発明に係るバイオマス炭化物製造システムの実施形態について図面に基づいて説明する。尚、図１〜図４には、第１乃至第４実施形態の夫々でのバイオマス炭化物製造システムの概略構成が示されている。
【００１８】
〔共通構成〕
先ず、図１〜図４に示す各実施形態のバイオマス炭化物製造システム（以下、「本システム」と呼ぶ場合がある。）における共通の詳細構成について、以下に説明する。
本システムには、脱水装置等で適宜脱水された含水バイオマスを乾燥させて乾燥バイオマスＸ１を生成する乾燥処理部１と、乾燥処理部１から供給された乾燥バイオマスＸ１を造粒させて造粒乾燥バイオマスＸ２を生成する造粒処理部２と、造粒処理部２から供給された造粒乾燥バイオマスＸ２を乾燥バイオマス造粒物Ｘ２ａとそれよりも小さい乾燥バイオマス造粒残渣Ｘ２ｂとに分級する分級処理部３と、分級処理部３で捕捉された乾燥バイオマス造粒物Ｘ２ａを炭化させてバイオマス炭化物Ｘ３を生成する炭化処理部４と、炭化処理部４で発生した熱分解ガスＧ４を焼却する熱分解ガス焼却部５と、が設けられている。
【００１９】
本システムには、燃料をバーナＢで燃焼させて熱風ＨＧを発生させる熱風発生部１ａ，４ａが設けられている。また、熱分解ガス焼却部５にも、熱分解ガスＧ４を焼却するためのバーナＢが設けられている。
これらのバーナＢとしては、化石燃料を燃焼させる化石燃料バーナが適宜設けられているが、少なくとも一つのバーナＢが、固形バイオマス燃料を燃焼させるバイオマスバーナ１０として構成されている。
【００２０】
また、本システムには、運転を制御するための制御装置が機能する形態で、バイオマスバーナ１０の燃焼量を適切なものに制御する燃焼制御部１０ａ等が設けられている。
以下、これら本システムに設けられている設備の詳細構成について、順に説明を加える。
【００２１】
（乾燥処理部）
乾燥処理部１は、例えば公知の熱風乾燥機等で構成されており、適宜脱水装置（図示省略）で脱水された含水バイオマスが投入され、当該投入された含水バイオマスを撹拌しながら、熱風発生部１ａから供給された約７５０℃〜８５０℃の熱風ＨＧに直接接触させて乾燥させるように構成されている。よって、この乾燥処理部１からは、乾燥後の乾燥バイオマスＸ１が払い出されて、その乾燥バイオマスＸ１が後述する造粒処理部２に供給される。
【００２２】
（造粒処理部）
造粒処理部２は、例えば公知の撹拌式造粒装置や押出式造粒装置等で構成されており、乾燥処理部１で乾燥された乾燥バイオマスＸ１が投入され、当該投入された乾燥バイオマスＸ１を、略所望サイズのペレット状又は粒状に造粒するように構成されている。よって、造粒処理部２からは、ペレット状又は粒状に造粒されたものを含む造粒乾燥バイオマスＸ２が払い出されて、その造粒乾燥バイオマスＸ２が後述する分級処理部３に供給される。
【００２３】
（分級処理部）
分級処理部３は、例えば振動式又は回転式の篩装置やサイクロン式分級装置等で構成されており、造粒処理部２から造粒乾燥バイオマスＸ２が投入され、当該造粒乾燥バイオマスＸ２を、略所望サイズのペレット状又は粒状の乾燥バイオマス造粒物Ｘ２ａと、それよりも小さい略粉状の乾燥バイオマス造粒残渣Ｘ２ｂとに分級するように構成されている。よって、この分級処理部３からは、乾燥バイオマス造粒物Ｘ２ａと乾燥バイオマス造粒残渣Ｘ２ｂとが払い出されて、その乾燥バイオマス造粒物Ｘ２ａが後述する炭化処理部４に供給され、その乾燥バイオマス造粒残渣Ｘ２ｂが後述するバイオマスバーナ１０に供給される。
【００２４】
（炭化処理部）
炭化処理部４は、例えば公知の間接加熱式ロータリーキルン等で構成されており、分級処理部３から供給された乾燥バイオマス造粒物Ｘ２ａが投入され、当該投入された乾燥バイオマス造粒物Ｘ２ａを撹拌しながら低酸素雰囲気で熱風発生部４ａから供給された約５００℃〜１０００℃の熱風ＨＧにより間接的に加熱して炭化させるように構成されている。よって、この炭化処理部４からは、炭化後のバイオマス炭化物Ｘ３が払い出されると共に、乾燥バイオマス造粒物Ｘ２ａの熱分解時に生成される可燃性ガスを含む熱分解ガスＧ４が排出されることになる。尚、炭化処理部４から払い出されたバイオマス炭化物Ｘ３は、乾燥バイオマス造粒物Ｘ２ａを炭化させたものであることからサイズが整った高品質なものとなり、例えば、冷却用コンベアにより冷却された上で、製品として払い出される。
一方、炭化処理部４から排出された熱分解ガスＧ４は、後述する熱分解ガス焼却部５に供給される。
【００２５】
（熱分解ガス焼却部）
熱分解ガス焼却部５は、例えば公知のガス燃焼炉等で構成されており、炭化処理部４から供給された熱分解ガスＧ４を高温環境下で燃焼用空気Ａと混合撹拌しながら完全燃焼させて焼却するように構成されている。よって、この熱分解ガス焼却部５では、熱分解ガスＧ４の排ガスを含む約８００℃〜９００℃の排ガスが発生する。また、この熱分解ガス焼却部５には、熱分解ガスＧ４の燃焼に必要な高温状態に維持するために燃料を燃焼させるバーナＢが設けられている。
【００２６】
（熱風発生部）
熱風発生部１ａ，４ａは、例えば公知の熱風発生炉等で構成されており、バーナＢにて燃料を燃焼させて生成された高温の燃焼排ガスを含むガスを熱風ＨＧとして発生させるように構成されている。また、この熱風発生部１ａ，４ａには、排ガス等から回収した排熱が適宜供給される。即ち、熱風発生部１ａ，４ａでは、バーナＢで生成された燃焼排ガスに対して回収した排熱が加わって、熱風ＨＧが発生する。
【００２７】
（バイオマスバーナ）
バイオマスバーナ１０は、固形バイオマス燃料を燃焼させて高温の燃焼排ガスを生成するものとして構成されており、このバイオマスバーナ１０は、熱風発生部１ａ，４ａや熱分解ガス焼却部５において適宜バーナＢとして設けられている。
更に、このバイオマスバーナ１０には、乾燥処理部１で生成された乾燥バイオマスＸ２の一部が取り出されて固形バイオマス燃料として供給されている。具体的に、分級処理部３から排出された乾燥バイオマス造粒残渣Ｘ２ｂが、粉砕することなくそのままの状態で、固形バイオマス燃料として供給されている。
そして、バイオマスバーナ１０では、乾燥処理部１で生成されて比較的大きな塊を含む乾燥バイオマスＸ２ではなく、所定サイズ以下で略粉状であることで燃焼しやすい乾燥バイオマス造粒残渣Ｘ２ｂが固形バイオマス燃料として供給されるので、当該乾燥バイオマス造粒残渣Ｘ２ｂを効率良く燃焼させることができる。そして、その燃焼により発生した燃焼排ガスが、熱風発生部１ａ，４ａにて熱風ＨＧを発生させるための熱源又は熱分解ガス焼却部５にて熱分解ガスＧ４を焼却させるための熱源を確保するために利用されている。よって、熱風発生部１ａ，４ａや熱分解ガス焼却部５においては、例えば不足した熱量を補うための化石燃料バーナによる化石燃料の助燃を省略又は簡素化することができる。
更に、バイオマスバーナ１０がバーナＢとして設けられた熱分解ガス焼却部５や熱風発生部１ａ，４ａの炉内温度や排ガス温度を所望の温度に維持するために、バイオマスバーナ１０への固形バイオマス燃料の供給量を調整して、当該バイオマスバーナ１０の燃焼量を制御する燃焼制御部１０ａが設けられている。
尚、バイオマスバーナ１０への乾燥バイオマス造粒残渣Ｘ２ｂへの輸送については、各種輸送手段により行うことができる。例えば、空気輸送とすれば、乾燥バイオマス造粒残渣Ｘ２ｂの供給路における付着や滞留を抑制することができ、運転管理が容易となる。
【００２８】
〔第１実施形態〕
次に、図１に示す第１実施形態の本システムの詳細構成について説明する。
本システムには、造粒処理部２の運転状態を制御して、当該造粒処理部２からバイオマスバーナ１０への乾燥バイオマス造粒残渣Ｘ２ｂの供給量を調整可能な造粒状態調整部２ａが設けられている。ここで、造粒処理部２の運転状態とは、造粒処理部２において生成される造粒乾燥バイオマスＸ２に含まれる乾燥バイオマス造粒物Ｘ２ａと乾燥バイオマス造粒残渣Ｘ２ｂとの生成割合に影響を与える運転状態とすることができる。例えば、造粒処理部２が撹拌式造粒装置である場合にはその撹拌回転数や処理時間等を造粒処理部２の運転状態として調整することができ、造粒処理部２が押出式造粒装置である場合にはその押出圧力やダイス孔径やカッター回転数等を造粒処理部２の運転状態として調整することができる。
そして、燃焼制御部１０ａは、バイオマスバーナ１０の燃焼状態に基づいて造粒状態調整部２ａの作動を制御して、バイオマスバーナ１０への乾燥バイオマス造粒残渣Ｘ２ｂの供給量を調整する形態で、バイオマスバーナ１０の燃焼量を適切に制御することができる。
【００２９】
即ち、バイオマスバーナ１０の燃焼量を増加させる場合には、造粒状態調整部２ａにより造粒処理部２の運転状態を制御して、当該造粒処理部２から払い出された造粒乾燥バイオマスＸ２における乾燥バイオマス造粒残渣Ｘ２ｂの含有割合を増加させる。すると、分級処理部３にて捕捉されずにバイオマスバーナ１０に固形バイオマス燃料として供給される乾燥バイオマス造粒残渣Ｘ２ｂが増加して、結果、バイオマスバーナ１０の燃焼量が増加することになる。逆に、バイオマスバーナ１０の燃焼量を減少させる場合には、造粒状態調整部２ａにより造粒処理部２の運転状態を制御して、当該造粒処理部２から払い出された造粒乾燥バイオマスＸ２における乾燥バイオマス造粒残渣Ｘ２ｂの含有割合を減少させる。すると、分級処理部３にて捕捉されずにバイオマスバーナ１０に固形バイオマス燃料として供給される乾燥バイオマス造粒残渣Ｘ２ｂが減少して、結果、バイオマスバーナ１０の燃焼量が減少することになる。
【００３０】
〔第２実施形態〕
次に、図２に示す第２実施形態の本システムの詳細構成について説明する。
本システムでは、乾燥処理部１から払い出されて造粒処理部２に供給される前の乾燥バイオマスＸ１の一部を取り出す乾燥バイオマス取出部１２が設けられている。そして、乾燥バイオマス取出部１２で取り出された乾燥バイオマスＸ１は、適宜粉砕処理部１５にて粉砕された後に、乾燥バイオマス造粒残渣Ｘ２ｂとともに、固形バイオマス燃料としてバイオマスバーナ１０に供給される。
即ち、乾燥バイオマス造粒残渣Ｘ２ｂがバイオマスバーナ１０にて必要な固形バイオマス燃料の量に満たない場合であっても、乾燥バイオマス取出部１２で取り出した乾燥バイオマスＸ１を固形バイオマス燃料としてバイオマスバーナ１０に補充することができる。従って、バイオマスバーナ１０の燃焼量不足を解消して、熱量不足を補うための化石燃料バーナによる化石燃料の助燃が削減される。
【００３１】
乾燥バイオマス取出部１２は、造粒処理部２に供給される前の乾燥バイオマスＸ１を取り出して固形バイオマス燃料としてバイオマスバーナ１０に補充するものとなっているので、その取り出した乾燥バイオマスＸ１の分、造粒処理部２の運転負荷が軽減されている。
【００３２】
乾燥バイオマス取出部１２による乾燥バイオマスＸ１の取出量を調整可能な取出量調整部１２ａが設けられている。
そして、燃焼制御部１０ａは、バイオマスバーナ１０の燃焼状態に基づいて取出量調整部１２ａの作動を制御して、バイオマスバーナ１０への乾燥バイオマスＸ１の供給量を調整する形態で、バイオマスバーナ１０の燃焼量を適切に制御することができる。
即ち、バイオマスバーナ１０の燃焼量を増加させる場合には、取出量調整部１２ａにより固形バイオマス燃料として取り出す乾燥バイオマスＸ１の取出量を増加させる。すると、バイオマスバーナ１０に供給される固形バイオマス燃料が増加して、結果、バイオマスバーナ１０の燃焼量が増加することになる。逆に、バイオマスバーナ１０の燃焼量を減少させる場合には、取出量調整部１２ａにより固形バイオマス燃料として取り出す乾燥バイオマスＸ１の取出量を減少させる。すると、バイオマスバーナ１０に供給される固形バイオマス燃料が減少して、結果、バイオマスバーナ１０の燃焼量が減少することになる。
【００３３】
〔第３実施形態〕
次に、図３に示す第３実施形態の本システムの詳細構成について説明する。
本システムでは、造粒処理部２から払い出されて分級処理部３に供給される前の造粒乾燥バイオマスＸ２の一部を取り出す乾燥バイオマス取出部１３が設けられている。そして、乾燥バイオマス取出部１３で取り出された造粒乾燥バイオマスＸ２は、乾燥バイオマス造粒残渣Ｘ２ｂとともに、固形バイオマス燃料としてバイオマスバーナ１０に供給される。
即ち、バイオマスバーナ１０に供給される乾燥バイオマス造粒残渣Ｘ２ｂが必要な固形バイオマス燃料の量に満たない場合であっても、乾燥バイオマス取出部１３で取り出した造粒乾燥バイオマスＸ２を固形バイオマス燃料としてバイオマスバーナ１０に補充することができる。従って、バイオマスバーナ１０の燃焼量不足を解消して、熱量不足を補うための化石燃料バーナによる化石燃料の助燃が削減される。
【００３４】
乾燥バイオマス取出部１３による造粒乾燥バイオマスＸ２の取出量を調整可能な取出量調整部１３ａが設けられている。
そして、燃焼制御部１０ａは、バイオマスバーナ１０の燃焼状態に基づいて取出量調整部１３ａの作動を制御して、バイオマスバーナ１０への造粒乾燥バイオマスＸ２の供給量を調整する形態で、バイオマスバーナ１０の燃焼量を適切に制御することができる。
即ち、バイオマスバーナ１０の燃焼量を増加させる場合には、取出量調整部１３ａにより固形バイオマス燃料として取り出す造粒乾燥バイオマスＸ２の取出量を増加させる。すると、バイオマスバーナ１０に供給される固形バイオマス燃料が増加して、結果、バイオマスバーナ１０の燃焼量が増加することになる。逆に、バイオマスバーナ１０の燃焼量を減少させる場合には、取出量調整部１３ａにより固形バイオマス燃料として取り出す造粒乾燥バイオマスＸ２の取出量を減少させる。すると、バイオマスバーナ１０に供給される固形バイオマス燃料が減少して、結果、バイオマスバーナ１０の燃焼量が減少することになる。
【００３５】
〔第４実施形態〕
次に、図４に示す第４実施形態の本システムの詳細構成について説明する。
本システムでは、分級処理部３から払い出されて炭化処理部４に供給される前の乾燥バイオマス造粒物Ｘ２ａの一部を取り出す乾燥バイオマス取出部１４が設けられている。そして、乾燥バイオマス取出部１４で取り出された乾燥バイオマス造粒物Ｘ２ａは、乾燥バイオマス造粒残渣Ｘ２ｂとともに、固形バイオマス燃料としてバイオマスバーナ１０に供給される。
即ち、バイオマスバーナ１０に供給される乾燥バイオマス造粒残渣Ｘ２ｂが必要な固形バイオマス燃料の量に満たない場合であっても、乾燥バイオマス取出部１４で取り出した乾燥バイオマス造粒物Ｘ２ａを固形バイオマス燃料としてバイオマスバーナ１０に補充することができる。従って、バイオマスバーナ１０の燃焼量不足を解消して、熱量不足を補うための化石燃料バーナによる化石燃料の助燃が削減される。
【００３６】
乾燥バイオマス取出部１４による乾燥バイオマス造粒物Ｘ２ａの取出量を調整可能な取出量調整部１４ａが設けられている。
そして、燃焼制御部１０ａは、バイオマスバーナ１０の燃焼状態に基づいて取出量調整部１４ａの作動を制御して、バイオマスバーナ１０への乾燥バイオマス造粒物Ｘ２ａの供給量を調整する形態で、バイオマスバーナ１０の燃焼量を適切に制御することができる。
即ち、バイオマスバーナ１０の燃焼量を増加させる場合には、取出量調整部１４ａにより固形バイオマス燃料として取り出す乾燥バイオマス造粒物Ｘ２ａの取出量を増加させる。すると、バイオマスバーナ１０に供給される固形バイオマス燃料が増加して、結果、バイオマスバーナ１０の燃焼量が増加することになる。逆に、バイオマスバーナ１０の燃焼量を減少させる場合には、取出量調整部１４ａにより固形バイオマス燃料として取り出す乾燥バイオマス造粒物Ｘ２ａの取出量を減少させる。すると、バイオマスバーナ１０に供給される固形バイオマス燃料が減少して、結果、バイオマスバーナ１０の燃焼量が減少することになる。
【００３７】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３８】
（１）上記第２乃至第４実施形態では、バイオマスバーナ１０に対して乾燥バイオマスＸ１，Ｘ２，Ｘ２ａを固形バイオマス燃料として補充するように構成したが、乾燥バイオマス以外の例えば乾燥処理前の含水バイオマスやバイオマス炭化物等を固形バイオマス燃料として補充するように構成しても構わない。
【００３９】
（２）上記実施形態において、燃焼制御部１０ａによるバイオマスバーナ１０の燃焼量制御については省略しても構わない。また、この場合、このバイオマスバーナ１０に対して並設される化石燃料バーナの燃焼量を制御して、熱分解ガス焼却部５や熱風発生部１ａ，４ａの炉内温度や排ガス温度を所望の温度に維持するように構成することができる。
【００４０】
（３）上記実施形態では、乾燥処理部１に供給される熱風を発生させる熱風発生部１ａや炭化処理部４に供給される熱風を発生させる熱風発生部４ａを設けたが、バイオマスバーナ１０が設けられていない熱風発生部１ａ，４ｂについては適宜省略しても構わない。また、熱分解ガス焼却部５にバイオマスバーナ１０が設けられている場合においては、例えば熱分解ガス焼却部５の排ガスを熱風として乾燥処理部１や炭化処理部２に供給するように構成して、熱風発生部１ａ，４ｂの両方を省略することもできる。
【符号の説明】
【００４１】
１      乾燥処理部
１ａ    熱風発生部
２      造粒処理部
２ａ    造粒状態調整部
３      分級処理部
４      炭化処理部
４ａ    熱風発生部
５      熱分解ガス焼却部
１０    バイオマスバーナ
１０ａ  燃焼制御部
１２    乾燥バイオマス取出部
１３    乾燥バイオマス取出部
１４    乾燥バイオマス取出部
Ｇ４    熱分解ガス
ＨＧ    熱風
Ｘ１    乾燥バイオマス
Ｘ２    造粒乾燥バイオマス（乾燥バイオマス）
Ｘ２ａ  乾燥バイオマス造粒物（乾燥バイオマス）
Ｘ２ｂ  乾燥バイオマス造粒残渣（乾燥バイオマス）
Ｘ３    バイオマス炭化物
【図１】
2019178189.tif 000003
【図２】
2019178189.tif 000004
【図３】
2019178189.tif 000005
【図４】
2019178189.tif 000006